【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
第１電極と、
メッシュ電極と、
第１電極とメッシュ電極との間に配設された光増感ナノ・マトリックス層と、
第１電極とメッシュ電極との間に配設された電荷キャリア媒体とから成る光電セル。
【請求項２】
第１電極は光透過性を有する材料から成る請求項１に記載の光電セル。
【請求項３】
第１電極はインジウム・スズ酸化物から成る請求項１に記載の光電セル。
【請求項４】
第１電極は金属メッシュ電極から成る請求項１に記載の光電セル。
【請求項５】
第１電極は金属箔から成る請求項１に記載の光電セル。
【請求項６】
メッシュ電極は約６０％〜約９５％の透過率を有する請求項１に記載の光電セル。
【請求項７】
メッシュ電極は金属材料から成る請求項１に記載の光電セル。
【請求項８】
金属材料は、パラジウム、白金、チタン、ステンレス鋼、およびそれらの合金のうちの１つ以上から成る請求項７に記載の光電セル。
【請求項９】
メッシュ電極は約５μｍ〜約２００μｍの直径を有する金属線材から成り、かつ約５０％〜約９５％のメッシュ開口部を有する請求項７に記載の光電セル。
【請求項１０】
メッシュ電極は約２５μｍ〜約７５μｍの直径を有する金属線材から成り、かつ約８０％〜約９０％のメッシュ開口部を有する請求項７に記載の光電セル。
【請求項１１】
メッシュ電極は少なくともメッシュ電極の金属線材の間に配設されたインジウム・スズ酸化物をさらに含む請求項１０に記載の光電セル。
【請求項１２】
メッシュ電極は約３オーム（Ω）／□未満の抵抗率を有する請求項１に記載の光電セル
。
【請求項１３】
光増感ナノ・マトリックス層は、セレン化物、硫化物、テルル化物、酸化チタン、酸化タングステン、酸化亜鉛、酸化ジルコニウム、およびそれらの１つ以上の組合せから選択される材料のナノ粒子から成る請求項１に記載の光電セル。
【請求項１４】
光増感ナノ・マトリックス層は、色素増感され、かつ相互接続されたナノ粒子から成る請求項１に記載の光電セル。
【請求項１５】
光増感ナノ・マトリックス層は、色素増感され、かつ相互接続された二酸化チタン・ナノ粒子から成る請求項１４に記載の光電セル。
【請求項１６】
光増感ナノ・マトリックス層は平均寸法が約５ｎｍ〜約３００ｎｍの粒子から成る請求項１に記載の光電セル。
【請求項１７】
光増感ナノ・マトリックス層は平均寸法が約１０ｎｍ〜約４０ｎｍの粒子から成る請求項１に記載の光電セル。
【請求項１８】
光増感ナノ・マトリックス層は光増感剤を含む請求項１に記載の光電セル。
【請求項１９】
光増感剤は色素を含む請求項１８に記載の光電セル。
【請求項２０】
光増感剤は、シアニン、メロシアニン、フタロシアニン、ピロール、およびキサンチンから選択される有機分子を含む請求項１８に記載の光電セル。
【請求項２１】
光増感剤は２価の金属および３価の金属から選択される金属イオンを含む請求項１８に記載の光電セル。
【請求項２２】
光増感剤は、ルテニウム遷移金属錯体、オスミウム遷移金属錯体、および鉄遷移金属錯体のうちの１つ以上を含む請求項２１に記載の光電セル。
【請求項２３】
電荷キャリア媒体は電解質レドックス系から成る請求項１に記載の光電セル。
【請求項２４】
電荷キャリア媒体はポリマー電解質から成る請求項１に記載の光電セル。
【請求項２５】
電荷キャリア媒体は伝導性ポリマーから成る請求項１に記載の光電セル。
【請求項２６】
電荷キャリア媒体は入射可視光のうちの約６０％以上を透過させる請求項１に記載の光電セル。
【請求項２７】
第１電極とメッシュ電極との間に配設された触媒媒体をさらに含む請求項１に記載の光電セル。
【請求項２８】
触媒媒体は白金を含む請求項２７に記載の光電セル。
【請求項２９】
触媒媒体は伝導性ポリマーを含む請求項２７に記載の光電セル。
【請求項３０】
第１基板および第２基板をさらに含み、かつ第１電極とメッシュ電極とは第１基板と第２基板との間に配設される請求項１に記載の光電セル。
【請求項３１】
第１基板および第２基板は約１，５００ＭＰａ〜約５，０００ＭＰａの曲げ弾性率を有する請求項３０に記載の光電セル。
【請求項３２】
第１基板および第２基板は可撓性かつ光透過性を備える請求項３０に記載の光電セル。
【請求項３３】
第１基板および第２基板のうちの少なくとも一方はポリエチレンナフタレート材料から成る請求項３０に記載の光電セル。
【請求項３４】
第１基板および第２基板は約３５０℃未満のガラス転移温度を有する請求項３０に記載の光電セル。
【請求項３５】
第１基板および第２基板は約１０℃〜約１５０℃のガラス転移温度を有する請求項３０に記載の光電セル。
【請求項３６】
メッシュ電極はカソードとして機能するように配設される請求項１に記載の光電セル。
【請求項３７】
直列および並列のうちの少なくともいずれかにて電気的に接続された複数の請求項１に記載の光電セルから成る光電モジュール。
【請求項３８】
第１電極と、
光透過性の金属メッシュ電極と、
第１電極と光透過性の金属メッシュ電極との間に配設された、色素増感され、かつ相互接続されたナノ粒子層と、
第１電極と光透過性の金属メッシュ電極との間に配設された電荷キャリア媒体とから成る光電セル。
【請求項３９】
第１電極は金属メッシュ電極から成る請求項３８に記載の光電セル。
【請求項４０】
第１電極は金属箔から成る請求項３８に記載の光電セル。
【請求項４１】
第１電極は可撓性基板上に堆積された金属層から成る請求項３８に記載の光電セル。
【請求項４２】
光透過性の金属メッシュ電極は約６０％〜約９５％の範囲の透過率を有する請求項３８に記載の光電セル。
【請求項４３】
光透過性の金属メッシュ電極は、パラジウム、白金、チタン、ステンレス鋼、およびそれらの合金のうちの１つ以上から成る請求項３８に記載の光電セル。
【請求項４４】
光透過性のメッシュ電極は約５μｍ〜約２００μｍの直径を有する金属線材から成り、かつ約５０％〜約９５％のメッシュ開口部を有する請求項３８に記載の光電セル。
【請求項４５】
メッシュ電極は少なくともメッシュ電極の金属線材の間に配設されたインジウム・スズ酸化物をさらに含む請求項４４に記載の光電セル。
【請求項４６】
メッシュ電極は約３オーム（Ω）／□未満の抵抗率を有する請求項３８に記載の光電セル。
【請求項４７】
色素増感され、かつ相互接続されたナノ粒子層は、セレン化物、硫化物、テルル化物、酸化チタン、酸化タングステン、酸化亜鉛、酸化ジルコニウム、およびそれらの１つ以上の組合せから選択される材料のナノ粒子から成る請求項３８に記載の光電セル。
【請求項４８】
色素増感され、かつ相互接続されたナノ粒子層は、色素増感され、かつ相互接続された二酸化チタン・ナノ粒子から成る請求項３８に記載の光電セル。
【請求項４９】
色素増感され、かつ相互接続されたナノ粒子層は平均寸法が約５ｎｍ〜約３００ｎｍの粒子から成る請求項３８に記載の光電セル。
【請求項５０】
色素増感され、かつ相互接続されたナノ粒子層は、ルテニウム遷移金属錯体、オスミウム遷移金属錯体、および鉄遷移金属錯体のうちの１つ以上を含有する色素を含む請求項３８に記載の光電セル。
【請求項５１】
電荷キャリア媒体は電解質レドックス系から成る請求項３８に記載の光電セル。
【請求項５２】
電荷キャリア媒体はポリマー電解質から成る請求項３８に記載の光電セル。
【請求項５３】
電荷キャリア媒体は伝導性ポリマーから成る請求項３８に記載の光電セル。
【請求項５４】
第１電極と光透過性の金属メッシュ電極との間に配設された触媒媒体をさらに含む請求項３８に記載の光電セル。
【請求項５５】
触媒媒体は白金を含む請求項５４に記載の光電セル。
【請求項５６】
触媒媒体は伝導性ポリマーを含む請求項５４に記載の光電セル。
【請求項５７】
第１の可撓性基板と、
可撓性メッシュ電極と、
第１の可撓性基板と可撓性メッシュ電極との間に配設された第１の可撓性電極と、
第１の可撓性電極と可撓性メッシュ電極との間に配設された光増感ナノ・マトリックス層と、
第１の可撓性電極と可撓性メッシュ電極との間に配設された電荷キャリア媒体とから成る光電材料。
【請求項５８】
請求項５７に記載の光電材料から成る可撓性織生地。
【請求項５９】
可撓性基板は織り材料から成る請求項５７に記載の光電材料。
【請求項６０】
織り材料は、綿、亜麻、およびナイロンのうちの１つ以上から成る請求項５９に記載の光電材料。
【請求項６１】
第１の可撓性電極は金属メッシュ電極から成る請求項５７に記載の光電材料。
【請求項６２】
第１の可撓性電極は第１の可撓性基板上に堆積された金属層から成る請求項５７に記載の光電材料。
【請求項６３】
可撓性メッシュ電極は約６０％〜約９５％の透過率を有する請求項５７に記載の光電材料。
【請求項６４】
可撓性メッシュ電極は金属材料から成る請求項５７に記載の光電材料。
【請求項６５】
可撓性メッシュ電極は約５μｍ〜約２００μｍの直径を有する金属線材から成り、かつ
約５０％〜約９５％のメッシュ開口部を有する請求項６４に記載の光電材料。
【請求項６６】
光増感ナノ・マトリックス層は、セレン化物、硫化物、テルル化物、酸化チタン、酸化タングステン、酸化亜鉛、酸化ジルコニウム、およびそれらの１つ以上の組合せから選択される材料のナノ粒子から成る請求項５７に記載の光電材料。
【請求項６７】
光増感ナノ・マトリックス層は、色素増感され、かつ相互接続された二酸化チタン・ナノ粒子から成る請求項６６に記載の光電材料。
【請求項６８】
光増感ナノ・マトリックス層は平均寸法が約１０ｎｍ〜約４０ｎｍの粒子から成る請求項５７に記載の光電材料。
【請求項６９】
光増感ナノ・マトリックス層は光増感剤を含む請求項５７に記載の光電材料。
【請求項７０】
光増感剤は、ルテニウム遷移金属錯体、オスミウム遷移金属錯体、および鉄遷移金属錯体のうちの１つ以上を含む色素から成る請求項６９に記載の光電材料。
【請求項７１】
電荷キャリア媒体は電解質から成る請求項５７に記載の光電材料。
【請求項７２】
第１電極とメッシュ電極との間に配設された触媒媒体をさらに含む請求項５７に記載の光電材料。
【請求項７３】
触媒媒体は白金を含む請求項７２に記載の光電材料。
【請求項７４】
触媒媒体は伝導性ポリマーを含む請求項７２に記載の光電材料。
【請求項７５】
第１基板と、
第２基板と、
第２基板に部分的に埋込まれた光透過性の金属メッシュ電極と、
光透過性の金属メッシュ電極と第１基板との間に配設された第１電極と、
第１電極と光透過性の金属メッシュ電極との間に配設された、色素増感され、かつ相互接続されたナノ粒子層と、
第１電極と光透過性の金属メッシュ電極との間に配設された電荷キャリア媒体とから成る光電セル。